(57)【要約】【課題】地図上の任意の場所を指示するだけで、指示した国に関する様々な情報が音声で入手することができ、視覚の面からだけでは得られない情報を聴覚の面からも入手でき、年少者の学習意欲を高めることができる音声発生玩具を提供すること。【解決手段】音声発生玩具を可視情報ａとして地図が印刷された地図体Ａと、該地図ａ上の任意の場所を指示する指示手段１及び、該指示手段１の指示した部分に関する情報を音声で出力する音声出力手段２からなる音声情報出力装置Ｂとで構成し、上記可視情報ａに重ねて、該可視情報ａを視覚的に損なわない二次元コードからなる不可視情報ｂを印刷し、上記指示手段１で指示した場所の不可視情報ｂは、該指示手段１で読み取られて上記音声出力手段２に入力され、該音声出力手段２は読み取った不可視情報ｂに基づいて指示した部分に関する情報を音声で出力するようにした。【選択図】図１
2006043093.tif 000002
【特許請求の範囲】
【請求項１】
以下の要件を備えることを特徴とする音声発生玩具。
（イ）上記音声発生玩具は表面に可視情報として地図が印刷された地図体と、該地図上の任意の場所を指示する指示手段及び、該指示手段の指示した部分に関する情報を音声で出力する音声出力手段からなる音声情報出力装置とから構成されていること
（ロ）上記地図体の表面には上記可視情報に重ねて、該可視情報を視覚的に損なわない不可視情報が印刷されていること
（ハ）上記不可視情報は二次元コードで構成されていること
（二）上記指示手段で指示した場所の不可視情報は、該指示手段で読み取られ、読み取られた不可視情報は上記音声出力手段に入力され、該音声出力手段は読み取った不可視情報に基づいて指示した部分に関する情報を音声で出力すること
【請求項２】
前記地図体の表面には、前記可視情報として地図に加えて、出力する音声情報を制御する制御情報が印刷され、該可視情報には上記制御情報を定義する不可視情報が重ねて印刷されている、請求項１記載の音声発生玩具。
【請求項３】
前記地図体は地球儀の形状である、請求項１又は２記載の音声発生玩具。
【発明の詳細な説明】
【技術分野】
【０００１】
本発明は、音声発生玩具、詳しくは地図が印刷された地図体の任意の場所を指示すると、指示した場所に関する情報が音声で入手することができる音声発生玩具に関するものである。
【背景技術】
【０００２】
従来、地球上の国名や首都名などを表示した地図や地球儀が広く利用されているが、単に地図を表示するだけではなく、学習する機能を付加した地球儀が提案されている（例えば、特許文献１）。
【０００３】
この地球儀は、小針を刺すことができる材質よりなる球体を芯とし、該芯の表面に、世界地図を印刷した伸縮性のある布地を貼着したもので、小針には地名、国名又は国旗等を記載した紙面を付けて小旗とし、この小旗をそれぞれ該当する位置に刺せるようにしたもので、地球儀表面にクロスを貼着し、このクロスに世界地図が描かれているため小旗を刺しても針孔は残らず、繰り返し小旗を刺すことができるようにしたものである。
【特許文献１】特開平８−１６１０１号公報
【発明の開示】
【発明が解決しようとする課題】
【０００４】
本発明が解決しようとする問題点は、上述の地球儀の場合、小旗に情報が記載されているため、異なる情報を同一場所に表示するためには小旗を同一場所に複数立てなければならず、狭い面積の国には複数の小旗を建てることは無理があり、その旗を立てる場所が判らなければ地図上に小旗を立てることができない点であった。
【０００５】
本発明は、上記問題点を解決し、地図上の任意の場所を指示するだけで、指示した国に関する様々な情報が音声で入手することができ、視覚の面からだけでは得られない情報を聴覚の面からも入手でき、年少者の学習意欲を高めることができる音声発生玩具を提供することを課題とする。
【課題を解決するための手段】
【０００６】
前記課題を解決するために本発明に係る音声発生玩具は、以下の要件を備えることを特徴とする。
（イ）上記音声発生玩具は表面に可視情報として地図が印刷された地図体と、該地図上の任意の場所を指示する指示手段及び、該指示手段の指示した部分に関する情報を音声で出力する音声出力手段からなる音声情報出力装置とから構成されていること
（ロ）上記地図体の表面には上記可視情報に重ねて、該可視情報を損なわない不可視情報が印刷されていること
（ハ）上記不可視情報は二次元コードで構成されていること
（二）上記指示手段で指示した場所の不可視情報は、該指示手段で読み取られ、読み取られた不可視情報は上記音声出力手段に入力され、該音声出力手段は読み取った不可視情報に基づいて指示した部分に関する情報を音声で出力すること
【０００７】
なお、前記地図体には、前記可視情報として地図に加えて、出力する音声情報を制御する制御情報が印刷され、該可視情報には上記制御情報を定義する不可視情報が重ねて印刷されていればよい。
【０００８】
そして、前記地図体は地球儀の形状であることが好ましい。
【発明の効果】
【０００９】
請求項１の発明によれば、可視情報として地図が印刷された地図体の任意の場所を指示手段で指示すると、可視情報に重ねて印刷された不可視情報が読み取られ、読み取った不可視情報に基づいて指示した部分に関する情報が音声で出力させるので、地図上に目で見ることができる、限られた情報以外の様々な情報を、入手することができる新しい発想の音声発生玩具を提供することができる。
【００１０】
請求項２の発明によれば、出力される音声情報を制御する制御情報が地図体に可視情報として印刷されているので、制御情報を指示手段で指示するだけで、地図上の同一の場所を指示しても異なる情報を入手することができ、情報の幅を広げることができる。
【００１１】
請求項３の発明によれば、地球儀という限られた大きさの中に、沢山の情報を擬似的に収容することができ、単に地球上の国の位置関係だけではなく、その国に関する様々な情報を入手することができる画期的な地球儀を構築することができる。
【発明を実施するための最良の形態】
【００１２】
音声発生玩具を表面に可視情報として地図が印刷された地図体と、この地図上の任意の場所を指示する指示手段及び、指示手段で指示した部分に関する情報を音声で出力する音声出力手段からなる音声情報出力装置とから構成し、上記地図体の表面には上記可視情報に重ねて、可視情報を損なわない二次元コードからなる不可視情報を印刷し、上記指示手段で指示した場所の不可視情報は指示手段で読み取られ、読み取られた不可視情報は上記音声出力手段に入力され、音声出力手段は読み取った不可視情報に基づいて指示した部分に関する情報を音声で出力するようにした。
【実施例１】
【００１３】
図１は、本発明に係る音声発生玩具の一例を示し、この音声発生玩具は表面に可視情報ａとして地図が印刷された地図体Ａと、この可視情報ａの任意の場所を指示すると、指示した部分に関する情報を音声で出力する音声情報出力装置Ｂとから構成されている。
【００１４】
地図体Ａは紙やビニールなどのシート又は図示しない本等の表面に可視情報である地図ａが印刷されたもので、外観上は一般の地図と同等であるが、可視情報ａに重ねて不可視情報ｂが印刷されているものである。
【００１５】
なお、上記地図体Ａには、上記地図ａに加えて、出力する音声情報を制御する制御情報ａ´が可視情報として印刷され、この可視情報には上記制御情報ａ´を定義する不可視情報ｂが重ねて印刷されている。本実施例では、上記制御情報ａ´は、地図ａに関連した情報（本実施例では、国名、首都、人口、面積、特徴に設定）と、初期設定に関する情報（本実施例では、音量ＵＰ、音量ＤＯＷＮ、ＢＧＭのＯＮ／ＯＦＦ、リセット）とで構成され、この制御情報ａ´は、図２に示すように、文字や図柄で印刷されている。この、制御情報ａ´である可視情報にも上述の可視情報と同様に不可視情報が重ねて印刷されている。
【００１６】
可視情報ａは、赤外線をほとんど吸収しないインク（例えば、基本の色インク、すなわちシアン、マゼンダ、イエローの組合せ）でカラー印刷され、不可視情報ｂは可視情報aの上に、赤外線を吸収するインク（例えば、黒の油性インク）で印刷された二次元コードで構成されている。
【００１７】
不可視情報ｂは視覚上の邪魔にならないように容易に視認できないような小さなドット（０．５ミリ角内に６Ｘ６個）からなる二次元コード（以下、ドットコードという）で構成されるとともに、６Ｘ６のドットコードを１つのデータ単位とし、地図体１の可視情報ａ上に２次元的に連続して印刷されているもので、ヘッダ情報ｂ１とデータ情報ｂ２とから構成され、ヘッダ情報ｂ１はドットコードｂを他のドットコードｂと切り分ける情報を備え、データ情報ｂ２は可視情報ａを特定する情報が表示されているものである（図２、３参照）。
【００１８】
音声情報出力装置Ｂは、図４に示すように、指示手段であるペンを模して形成された指示部１と、音声情報を出力する音声出力手段である音声出力部２とから構成され、指示部１と音声出力部２とはケーブル３で着脱可能に接続されている。
【００１９】
指示部１はドットコードｂを読み取る読取装置４を備え、音声出力部２は読取装置４で読み取ったドットコードに基づいてメモリ５に記憶されている音声データを読み出してスピーカ６から音声を出力させる制御部７を備えている。
【００２０】
なお、音声出力部２には、前カバー１０が上下に回動可能に設けられ、この前カバー１０を後方に回動するとメモリ５であるＲＯＭを内装したカートリッジ１１を差し込む差込口１２が開放され、この差込口１２にカートリッジ１１を差し込むとカートリッジ１１のプラグ１３が音声出力部２のソケット１４に差し込まれるようになっている。
【００２１】
図５に示すように、読取装置４は赤外線を照射する光源１５と、導光体１６ａと一体に形成されたレンズ１６、フィルター１７、画像センサー１８及び、処理プログラムを内蔵したドットパターン認識ＣＰＵ１９とから構成され、光源１５から導光体１６ａを介して地図体の表面に照射された赤外線の一部はドットコードｂで吸収され、吸収されずに反射した反射光はレンズ１６で集光されてフィルター１７を通し、画像センサー１８に取り込まれ、取り込まれた画像はデジタル信号に変換され、デジタル信号はドットパターン認識ＣＰＵ１９でデータ情報ｂ２からドットコードが解析され、そのドットコードｂを構成するドットの組合せを数字コードに変換する。
【００２２】
音声出力部２に配置された制御部７はプログラマブル音声合成ＩＣで構成されればよく、この制御部７は指示部１で変換された数字コードに基づいてカートリッジ１１に内装されたメモリ５であるＲＯＭから音声データを読み出し、読み出した音声データを音声信号に変換してスピーカ６からドットコードｂで定義された可視情報ａに関連する音声情報を出力させるようになっている。
【００２３】
次に、上記構成の音声発生玩具の使用態様について説明する。先ず、音声出力部２にカートリッジ１１をセットし、電源スイッチ２０をＯＮする。次に、指示部１の先端を、地図体Ａの表面に印刷された制御情報ａ´にタッチして、初期設定と情報の選択を行なう。
【００２４】
初期設定では出力される音声情報の音量を大きくしたければ「ＵＰ」、音量を小さくしたければ「ＤＯＷＮ」、ＢＧＭを出力させるか否かは「ＯＮ／ＯＦＦ」、設定をリセットする場合は「リセット」にタッチすればよい。
【００２５】
上記初期設定の制御情報ａ´には、それぞれドットコードｂが重ねて印刷されているので、指示部１の先端を希望する制御情報にタッチさせると、内装された読取装置４がドットコードを読み込み、ドットパターン認識ＣＰＵ１９でドットコードが数字コードに変換されて音声出力部２に入力されるので、音声出力部２の制御部７はその数字コードに基づいて初期設定を行なう。
【００２６】
初期設定が済んだら、出力させる音声情報が、国名なのか、首都名なのか、人口なのか、面積なのか、その国の特徴なのかを選択する。この選択は、制御情報ａ´の「国名」、「首都」「人口」「面積」「特徴」の何れかに指示部１の先端をタッチさせればよい。
【００２７】
指示部１の先端を希望する制御情報にタッチさせると、内装された読取装置４がドットコードを読み込み、ドットパターン認識ＣＰＵ１９でドットコードが数字コードに変換されて音声出力部２に入力されるので、音声出力部２の制御部７はその数字コードに基づいて出力される音声情報の分類を設定し、地図上の同じ位置を指示部１で指示しても指定した分類の音声情報をメモリ５から読み出すようにプログラミングされている。
【００２８】
出力させる音声情報を選択したならば、指示部１の先端を地図体Ａ上に印刷された地図ａ上の任意の場所にタッチすればよい。地図ａには国ごとに異なるドットコードｂが重ねて印刷されているので、指示部１に内装された読取装置４がドットコードを読み込み、ドットパターン認識ＣＰＵ１９でドットコードが数字コードに変換されて音声出力部２に入力されるので、音声出力部２の制御部７はその数字コードに基づいて指示部１が指定した場所（国）を認識し、予め設定された音声情報の分類の中から、その国に対応した音声データをメモリ５から読み出すようになっている。
【００２９】
例えば、「国名」にタッチした後、地図体Ａ上に印刷された地図ａのエジプトにタッチすると、音声で国名が「エジプト」と出力され、「首都」にタッチした後、球体上に印刷された地図ａのギリシャにタッチすると、音声で首都名が「ギリシャの首都は、アテネ」と出力され、「人口」にタッチした後、球体上に印刷された地図ａのアメリカにタッチすると、音声で人口が「アメリカ合衆国の人口は、ＸＸＸ億人」と出力され、「面積」にタッチした後、球体上に印刷された地図ａのフランスにタッチすると、音声で「フランスの面積は、△△△万平方キロメートル」と出力され、「特徴」にタッチした後、球体上に印刷された地図ａのバチカンにタッチすると、音声で「バチカン市国は、ローマ市内に存在する世界で一番小さな国です」と出力されされるようになっている。
【００３０】
上述のように、指示部１で地図体Ａ上に印刷された可視情報である地図ａにタッチするだけで、タッチした部分の国に関する様々な情報が音声で出力されるので、外観的には単なる地図であるにもかかわらず、様々な情報が入手することができ、世界の国々に関心を持つとともに、学習意欲を高めることができる音声発生玩具を実現することができる。
【実施例２】
【００３１】
図６は、音声発生玩具の他の例を示し、この音声発生玩具は地図体Ａが地球儀で構成されたもので、地球儀体３０の表面には可視情報として地図ａが印刷され、基台３１の上部前面には上述した制御情報ａ´が可視情報として印刷されたシール３２、３３が貼着され、シール３２には初期設定に関する可視情報が印刷され、シール３３には地図ａに関連した情報（本実施例では、国名、首都、人口、面積、特徴に設定）がそれぞれ印刷され、これらの可視情報には上記制御情報ａ´を定義する不可視情報ｂが重ねて印刷されている。
【００３２】
さらに、上記基台３１には引き出し３４が設けられ、この引き出しには、図７に示すように、カートリッジ１１が収納されるとともに、バルカン半島周辺拡大図３５が収容されている。バルカン半島周辺拡大図はバルカン半島周辺が密集しているため、地球儀体３０上に印刷された地図からは正確にドットコードを読み取ることができないために使用するもので、拡大図上にも不可視情報であるドットコードが印刷されている。
【００３３】
上記構成の音声発生玩具によれば、図８（ａ）に示すように、基台３１上に貼付されたシール３２、シール３２の可視情報ａ´に指示部１の先端をタッチさせて前述の地図体Ａと同様に初期設定を行なうとともに、出力させる音声の分類を設定すればよい。
【００３４】
出力させる音声情報を選択したならば、指示部１の先端を地球儀体３０上に印刷された地図ａ上の任意の場所にタッチすればよい。地図ａには国ごとに異なるドットコードｂが重ねて印刷されているので、指示部１に内装された読取装置４がドットコードｂを読み込み、ドットパターン認識ＣＰＵ１９でドットコードが数字コードに変換されて音声出力部２に入力されるので、音声出力部２の制御部７はその数字コードに基づいて指示部１が指定した場所（国）を認識し、予め設定された音声情報の分類の中から、その国に対応した音声データをメモリ５から読み出し、読み出した音声データはスピーカから音声情報として出力されるので、ユーザーは知りたい国の様々な情報を地球儀体上の知りたい国の位置に指示部１の先端を接触させることにより、簡単に入手することができる。
【００３５】
なお、人口や特徴など年々変化する情報は、新しい情報を書き込んだカートリッジ１１を提供すればよく、ユーザーは情報の更新されたカートリッジを購入すれば、新しい情報を入手することができるとともに、カートリッジを入れ替えることにより過去の情報と新しい情報とを比較することもでき、固定的な情報しか提供できない従来の地球儀との差別化を図ることができる。
【図面の簡単な説明】
【００３６】
【図１】本発明に係る音声発生玩具の構成を説明する斜視図（実施例１）
【図２】可視情報の一例とその可視情報に重ねて印刷された不可視情報との説明図
【図３】地図体上に印刷された可視情報と不可視情報との説明図
【図４】音声情報出力装置の斜視図
【図５】上記音声情報出力装置のブロック図
【図６】音声発生玩具の他の例を説明する斜視図（実施例２）
【図７】上記他の例の音声発生玩具における地図体の説明図
【図８】（ａ）（ｂ）は上記他の例の音声発生玩具の使用状態説明図
【符号の説明】
【００３７】
１    指示手段（指示部）
２    音声出力手段（音声出力部）
Ａ    地図体
ａ    可視情報（地図）
Ｂ    音声情報出力装置
ｂ    不可視情報（ドットコード）
【図１】
2006043093.tif 000003
【図２】
2006043093.tif 000004
【図３】
2006043093.tif 000005
【図４】
2006043093.tif 000006
【図５】
2006043093.tif 000007
【図６】
2006043093.tif 000008
【図７】
2006043093.tif 000009
【図８】
2006043093.tif 000010